(57)【要約】    【課題】バックサイドターンに際してエッジの利きかたが、実質的により強く出来る、前傾角度が変更可能なソフトブートスノーボード結束具を提供する。    【解決手段】スノーボード結束具において、ヒールトラップ（５）が、ベースプレート（１）に対して垂直に伸展する軸（６）を中心として旋回可能に固定される。ハイバックシェル（７）の下部端部領域は、滑走時においてはその中心部においてハイバックシェル（７）上に載置される。ヒールトラップ（５）の旋回角度を固定するために、固定装置が配設される。                          【選択図】図１
2007500526.tif 000002
【特許請求の範囲】
【請求項１】
ヒールトラップを両側に固定したベースプレートとヒールトラップの内面に固定したハイバックシェルとから成るスノーボード結束具であって、
該ヒールトラップ（５）が、該ベースプレート（１）に対して垂直に伸展する軸（６）を中心として旋回可能に該ベースプレート（１）に固定されること、該ハイバックシェル（７）の下部端部領域もまた中心部がヒールトラップ（５）上に載置されること及びヒールトラップ（５）の旋回角を固定するための装置が配設されること、
を特徴とするスノーボード結束具。
【請求項２】
該ハイバックシェルが、ベースプレート（１）に対して垂直に伸展する軸（１１）を中心として旋回可能にハイバックシェルに蝶番止めされ、かくして結束具を外した後に該ハイバックシェル（７）を滑走位置から前方に傾斜させることが可能となることを特徴とする、請求項１記載のスノーボード結束具。
【請求項３】
該ベースプレート（１）が、該ヒールトラップ（５）を旋回可能に固定するために上方に突出するサイドウォール（２，３）を有することを特徴とする、請求項１又は２記載のスノーボード結束具。
【請求項４】
該ヒールトラップ（５）の旋回軸を固定するための装置が、該ヒールトラップ（５）の旋回軸（６）から一定の距離をおいて配置されることを特徴とする、請求項１ないし３のうちの何れか一項記載のスノーボード結束具。
【請求項５】
該ヒールトラップ（５）と該ベースプレート（1）との間に緩衝具が配設されることを特徴とする、請求項１ないし４の内のいずれか一項記載のスノーボード結束具。
【請求項６】
該ヒールトラップ（５）の旋回角度を固定するための装置が、該ヒールトラップ（５）を該ベースプレート（１）に押圧することを特徴とする、請求項１ないし５の内の何れか一項記載のスノーボード結束具。
【請求項７】
該固定が、該ベースプレート（１）とヒールトラップ（５）との間の摩擦連結又は巻締め連結によって行われることを特徴とする、請求項５記載のスノーボード結束具。
【請求項８】
該巻締め連結のために、歯車装置が、該ベースプレート（１）とヒールトラップ（５）との間において配設されることを特徴とする、請求項７記載のスノーボード結束具。
【請求項９】
該ヒールトラップ（５）を該ベースプレート（１）に押圧するために、該ヒールトラップ（１）のみならず該ベースプレート（１）にも噛み合うネジ（１２，１３）が設けられることを特徴とする、請求項１ないし８のうちの何れか一項記載のスノーボード結束具。
【請求項１０】
該ネジ（１２，１３）が、ヒールトラップ旋回軸（６）から一定の距離をおいてサイドウォール（２，３）を貫通すること及び/又は該サイドウォール（２，３）内に案内されることを特徴とする、請求項９記載のスノーボード締束具。
【請求項１１】
該ヒールトラップ（５）の旋回角度を調節し且つ固定するために、ネジギヤー装置が配設されることを特徴とする、請求項１ないし６の内のいずれか一項記載のスノーボード結束具。
【請求項１２】
該ネジギヤー装置が、その端部で該ベースプレート（１）に載置されたネジシャフト（１９）―これは、ヒールトラップ（５）に噛み合うナット（２３）を貫通する―によって形成されることを特徴とする、請求項１１記載のスノーボード結束具。
【発明の詳細な説明】
【技術分野】
【０００１】
本発明は、請求項１の上位概念に従ったスノーボード結束具に係わる。
【背景技術】
【０００２】
ソフトブーツに使用に供される、この種のスノーボード結束具は既に公知となっている（例えばEP  ０  ９９８  ９６３  B1を参照のこと）。かかる結束具においては、ヒールトラップが、ベースプレートの両サイドプレートととは不動に固着されており、そのため、ベースプレートとは一体に成形・形成し、即ち一体を形成して結束具をシューズの大きさに適合させることが出来る。
【０００３】
前傾角度は、滑走スタイルによって8°と３０°との間に位置するが、かかる前傾角度を調節するために、ヒールトラップでのハイバックシェルは、ベースプレートに対して垂直に伸展する軸を中心として旋回可能になっている。所望とする前傾角度を固定するために、例えば、歯のブロックを設けるのであるが、これは、ハイバックシェルがヒールトラップに左と右の両側において蝶番止めされた二つの点の間の中点に位置するものである。
【０００４】
前傾角度を調節するためにかかるハイバックシェルを旋回させるには、従来公知の結束具においては、ハイバックシェルとヒールトラップとの間に一定の自由空間を設けている。即ち、かかるハイバックシェルは、特に前傾角度をより大きく調節する場合は、中心部においてヒールトラップからの距離を相対的に大きくするのである。かくしてヒールトラップは、結束具において後方に突出した幅広い部分を構成することになる。従ってバックサイドターンの場合、スノーボードには、望ましい場合よりもエッジの利きかたがそれほど強くはなくなる。ハイバックシェルをヒールトラップに蝶番止めすることによって、結束具の高さが輸送時又はチェアーリフト利用時には低くなることがさらに確保される。
【特許文献１】EP  ０９９８９６３  B1
【発明の開示】
【発明が解決しようとする課題】
【０００５】
本発明の課題は、バックサイドターンに際してエッジの利きかたが、実質的により強く出来る、前傾角度が変更可能なソフトブートスノーボード結束具を提供することである。
【課題を解決するための手段】
【０００６】
このことは、本発明に従えば特許請求の範囲の請求項１によって特徴づけられるスノーボード結束具によって実現されるのである。従属請求項においては、本発明の有利な実施態様が詳述される。
【発明の効果】
【０００７】
本発明に従えば、ハイバックシェルがヒールトラップに固定されるに際して、ハイバックシェルが少なくとも滑走状態にある場合、従ってソフトブーツが結束具内に収まっている場合は、ヒールトラップの中心部に位置するような態様で固定されるのである。こうすることによって、ヒールトラップがハイバックシェルよりも後方に突出する度合いが大きくなることはなく、その結果スノーボードは、バックサイドターンした場合に従来よりもエッジの利きかたが実質的に強くなるのである。
【発明を実施するための最良の形態】
【０００８】
本発明に従えば、前傾角度を調節するためには、ヒールトラップは、これに固定されたハイバックシェルと共に、ベースプレートに対して垂直に伸展する軸を中心として旋回可能にベースプレートに蝶番止めされ、なお好ましくは、ベースプレートが配設される、上方に突出するサイドウォールに蝶番止めされるのである。従って本発明に従えば、前傾姿勢変更・調節するためには、ハイバックシェルのみならずハイバックシェルとヒールトラップをも一緒に旋回させるのである。
【０００９】
結束具の高さを輸送時又はチェアーリフト利用時に低くするためには、ヒールトラップのハイバックシェルをベースプレートに対して垂直に伸展する軸を中心として旋回させて、その結果ハイバックシェルが、結束具から外れた後滑降位置から前方に係合させることが出来ることになる。結束具をはめるためには、ハイバックシェルを再び後方に係合させれば、中央部に、即ちハイバックシェルがヒールトラップに蝶番止めされる二つの点の間においてヒールトラップの上方に位置することになる。滑走位置において後方に係合したハイバックシェルをヒールトラップにおいて支持するために、このハイバックシェルは、中央部においてヒールトラップよりも若干突出してもよい突起部を有するものである。
【００１０】
ベースプレートに対するヒールトラップの旋回角度を、また従って前傾角度を固定するためには、本発明に従ったスノーボード結束具は更に、一つの相応する固定装置を有する。このものは、種々様々の形状に形成してもよい。但し、好ましくはヒールトラップの垂直伸展軸からは離れてヒールトラップと嵌合するが、而も可能な限り大きな距離をおいて嵌合し、かくして垂直伸展軸と固定軸との間で長大なてこの柄を形成する。
【００１１】
固定軸はこの場合、好ましくは垂直伸展軸の直前でヒールトラップの全端部と嵌合する。旋回角度を固定するためには、ヒールトラップの前端部をベースプレートのサイドウォールに対して押圧すればよい。この目的のために、ヒールトラップを貫通し且つ例えばベースプレートのネジ切り孔に嵌合するネジを各側面に設けることが出来る。なおこの際、更に多数のネジ孔をベースプレートに設けて、ヒールトラップの旋回角度を段階的に調節してもよい。
【００１２】
しかしながら好ましくは、かかる旋回角度の調節は無段階で行われる。この目的のためには、これらのネジは、ベースプレートの何れかのサイドウォール及びヒールトラップを貫通し且つ一本の長手方向のグルーブ（該グルーブは、円弧状に、而も直径がネジと旋回か軸との距離に相当する曲率で形成されていてもよい）内でヒールトラップ及び/又はサイドウォール内に導出されるのであるが、この際この長手方向のグルーブは、かかる曲率に相当する幅を有する限り場合によっては直線状に形成してもよい。
【００１３】
ベースプレートとヒールトラップとの間の接合を強固に確保するために、かかるネジを締めた後に摩擦連結又は巻締め連結を設けてもよい。かかる巻き締めは、例えばベースプレートでの歯車装置及び/又は締め付け面でのヒールトラップによって形成することが出来る。
【００１４】
ヒールトラップを旋回させるために、従ってヒールトラップのベースプレートに対する旋回角度を調節するために、また同時にヒールトラップを固定するために、例えばネジギヤー、歯車ギヤー又はその他のギヤー式のギヤー装置を使用してもよい。
【００１５】
かかる歯車ギヤーは、例えばその両端によってベースプレートに載置され、ナットを貫通し、ヒールトラップに係合するシャフトによって形成されていてもよい。即ち、かかるナットは、シャフトが回転した場合上下に移動し、その結果ヒールトラップと係合することによってシャフトを前後に旋回させるのである。
【００１６】
スノーボードで滑走時において短く而も鋭い衝撃が生じた場合、エッジのグリップ、従って滑走制御が喪失され得る。それ故に本発明に従ったスノーボード結束具は、好ましくはヒールトラップとベースプレートとの間において緩衝具が配設され、これによって自明であるようにかかる短く、鋭いショックを直ちに吸収することが可能である。かかる緩衝具は、ゴム弾性材料によって形成することが出来る。
【実施例】
【００１７】
以下において、添付した図面によって本発明をより詳細に説明する。
【００１８】
図１に従えば、ソフトブーツのスノーボード結束具は、上方に突出するサイドウォール２，３を備えたベースプレート１を有する。このベースプレート1は、底面部においてディスク４を備えており、これによって結束具が例えばねじを用いて図面では図示していないスノーボードに固定される。
【００１９】
このサイドウォール２，３の後方端部においては、ヒールカップ又はヒールトラップ５が、ベースプレート1に対して垂直に伸展する軸６を中心に旋回可能に蝶番止めされる。
【００２０】
このヒールトラップ５には、ハイバックシェル７が固定されるが、図１において図示する滑走位置においてはその下方縁端領域においてヒールトラップ５の内面と接するが、而も中央部において、即ちヒールトラップ５がベースプレート1と蝶番止め点８，９の二点の間の中央部において接するのである。こうすることによって、ヒールトラップ５は、ハイバックシェル７よりも最早や後方へ突出することはなくなり、その結果スノーボードは、バックサイドターンにおいては従来にないほど実質的により強固に曲げることが出来る。ハイバックシェル７の前傾角度は、ヒールトラップ５を軸６を中心として旋回させることによって調節される。
【００２１】
かかる結束具の高さを輸送時又チェアーリフト利用時に低くするためには、ハイバックシェル７をヒールトラップ５に、ベースプレート１に対して垂直に伸展する軸１１を中心として旋回可能に蝶番止めする。こうすることによって、ハイバックシェル７は、ソフトブーツと共に結束具を外した後、図１に示す滑走位置から前方に向かって蝶番止めすることが可能となる。これによって、ハイバックシェル７は、中央部で、即ち蝶番止め点８、９の間においてヒールトラップ５と折り重なる、後方へ突出する突出部１０を設けた場合、滑走位置においてヒールトラップ５上で支持されることが可能となる。
【００２２】
ベースプレート１に対してヒールトラップ５の旋回角度を固定するため、従ってこれによってハイバックシェル７の前傾角度を固定するために、図１に従えば、いずれのサイドにもネジ１２，１３が配設されるのであるが、このネジは、ヒールトラップ５をその前端部で貫通し、グルーブ形状の開口部１４，１５を通過してサイドウォール２又は３内に案内され且つナット１６内においてサイドウォール２，３の内面と係合する。この際、ヒールトラップ５とサイドウォール２，３の何れかとの間におけるグルーブ１４，１５の領域において緩衝具としてゴム弾性材料を設けることが出来る。
【００２３】
図２によれば、ヒールトラップ５の旋回角度の調節及び固定を行うための装置においては、サイドウォール２は、外面の上下において、図２において横断して断面図示する二つの突出部１７，１８を有し、この突出部にネジシャフト１９がその上下の端部で載置される。このネジシャフト１９は、その上端部において一つのヘッド２１又は類似したものが配設され、かくして回転させることが出来る。このネジシャフトはその下端部によってナット２５に嵌合する。このように載置するために、ネジシャフト１９は、上方突出部１７内において開口部２２及び下方突出部１８においては開口部２３とを貫通している。このネジシャフト１９には、ナット２３がネジではめこまれるが、このナットは、ヒールトラップ５内の開口部２４と嵌合するボルトとして形成される。旋回角度を調節するに際してネジシャフト１９の旋回を顧慮するために、開口部２３は、下方突出部１８においては縦長グルーブ形状に形成される。
【００２４】
緩衝させるためには、ヘッド２１と上方突出部１７との間及びナット２５とシャフト１９の下端部のナットと下方の付加部分又は突出部１８との間に、ゴム弾性材料製のディスク２６及び２７を設けるのである。
【図面の簡単な説明】
【００２５】
【図１】スノーボード結束具の斜視図であり、スノーボードシューズのための固定ストラップは取り外している；また
【図２】ベースプレートのサイドウォールの部分側面図であり、ヒールトラップのための調節装置及び固定装置の構造図を同時に示すが、ベースプレートの部分は、除外してある。
【符号の説明】
【００２６】
１：  ベースプレート
２、３：サイドウォール
４：  ディスク
５：  ヒールトラップ
６：  ベースプレートに対する垂直軸
７：  ハイバックシェル
８，９：  蝶番止め点
１０：  突出部
１１：  ベースプレートに対する垂直軸
１２、１３：  ネジ
１４、１５：開口部
１６：  ナット
１７，１８：  突出部
１９：  ネジシャフト
２１：  ヘッド
２２：  開口部
２３：  ナット
２４：  開口部
２５：  ナット
２６，２７：  ディスク
【図１】
2007500526.tif 000003
【図２】
2007500526.tif 000004
【手続補正書】
【提出日】平成17年1月7日(2005.1.7)
【手続補正１】
【補正対象書類名】明細書
【補正対象項目名】特許請求の範囲
【補正方法】変更
【補正の内容】
【特許請求の範囲】
【請求項１】ヒールトラップ（５）をベースプレート（１）に対して垂直に伸展する軸（６）を中心として旋回可能に両側に固定したベースプレート（１）と下部端領域が中心部においてヒールトラップ（５）上に載置される、ヒールトラップの内面に固定されたハイバックシェル（７）、及び該ヒールトラップ（５）の旋回角度を固定するための装置とから成るスノーボード結束具であって、
該ハイバックシェルが、ベースプレート（１）に対して垂直に伸展する軸（１１）を中心として旋回可能にハイバックシェルに蝶番止めされ、かくして結束具を外した後に該ハイバックシェル（７）を滑走位置から前方に傾斜させることが可能となることを特徴とする、スノーボード結束具。
【請求項２】該ベースプレート（１）が、該ヒールトラップ（５）を旋回可能に固定するために上方に突出するサイドウォール（２，３）を有することを特徴とする、請求項１記載のスノーボード結束具。
【請求項３】該ヒールトラップ（５）の旋回角度を固定するための該装置が、該ヒールトラップ（５）の旋回軸（６）から一定の距離をおいて配置されることを特徴とする、請求項１記載のスノーボード結束具。
【請求項４】該ヒールトラップ（５）と該ベースプレート（1）との間に緩衝具が配設されることを特徴とする、請求項１ないし３の内のいずれか一項において記載されたスノーボード結束具。
【請求項５】該ヒールトラップ（５）の旋回角度を固定するための該装置が、該ヒールトラップ（５）を該ベースプレート（１）に押圧することを特徴とする、請求項１記載のスノーボード結束具。
【請求項６】該固定が、該該ベースプレート（１）とヒールトラップ（５）との間の摩擦連結又は巻締め連結によって行われることを特徴とする、請求項５記載のスノーボード結束具。
【請求項７】該巻締め連結のために、歯車装置が、該ベースプレート（１）とヒールトラップ（５）との間において配設されることを特徴とする、請求項６記載のスノーボード結束具。
【請求項８】該ヒールトラップ（５）を該ベースプレート（１）に押圧するために、該ヒールトラップ（１）のみならず該ベースプレート（１）にも噛み合うネジ（１２，１３）が設けられることを特徴とする、請求項１ないし７の内の何れか一項記載のスノーボード結束具。
【請求項９】該ネジ（１２，１３）が、ヒールトラップ旋回軸（６）から一定距離をおいてサイドウォール（２，３）を貫通すること、並びにグルーブ（１４，１５）を経由してヒールトラップ（５）内及び／又は該サイドウォール（２，３）内に案内されることを特徴とする、請求項８記載のスノーボード結束具。
【請求項１０】該ヒールトラップ（５）の旋回角度を調節し且つ固定するために、ネジギヤー装置が配設されることを特徴とする、請求項１ないし５の内のいずれか一項記載のスノーボード結束具。
【請求項１１】該ネジギヤー装置が、その端部で該ベースプレート（１）に載置されたネジシャフト（１９）―これは、ヒールトラップ（５）に噛み合うナット（２３）を貫通する―によって形成されることを特徴とする、請求項１０記載のスノーボード結束具。
【国際調査報告】
2007500526.tif 000005
2007500526.tif 000006
2007500526.tif 000007
2007500526.tif 000008
2007500526.tif 000009
2007500526.tif 000010